(57)【特許請求の範囲】
【請求項１】
複数本の丸形アーチパイプを平行に並べて配置し、これらを棟パイプおよび胴縁パイプにより連結して骨組み構造を形成し、ビニールシートを被覆して構成される丸パイプハウスであって、
前記各々の丸形アーチパイプの肩部または前記肩部に設けられた前記胴縁パイプには、湾曲形成された膨出部を有する軒用アーチ材が、前記膨出部の最大膨出部分を前記丸形アーチパイプの裾部より外側に突出させて固定されているとともに、それら軒用アーチ材の前記膨出部が奥行き方向に長い軒用梁材によって連結され、前記ビニールシートが前記軒用アーチ材の外側を経て被覆されており、
前記各軒用アーチ材の最大膨出部分より下方の位置には、奥行き方向に長尺状に形成された水切り部材が設けられており、この水切り部材が前記各軒用アーチ材と連結されているとともに、前記水切り部材の上面を水切り面として下方外側に向けて傾斜されている、軒付き丸パイプハウス。
【請求項２】
前記ビニールシートは、前記水切り部材によって固定されている、請求項１に記載の軒付き丸パイプハウス。
【請求項３】
複数本の丸形アーチパイプを平行に並べて配置し、これらを棟パイプおよび胴縁パイプにより連結して骨組み構造を形成し、ビニールシートを被覆して構成される丸パイプハウスであって、
前記各々の丸形アーチパイプの肩部または前記肩部に設けられた前記胴縁パイプには、湾曲形成された膨出部を有する軒用アーチ材が、前記膨出部の最大膨出部分を前記丸形アーチパイプの裾部より外側に突出させて固定されているとともに、それら軒用アーチ材の前記膨出部が奥行き方向に長い軒用梁材によって連結され、前記ビニールシートが前記軒用アーチ材の外側を経て被覆されており、
前記ビニールシートは、少なくとも前記各丸形アーチパイプの前記裾部から前記軒用アーチ材の最大膨出部分の下部までを覆う左右一対の下部シートと、少なくとも前記軒用アーチ材の最大膨出部分の下部から前記各丸形アーチパイプの屋根部および棟部までを覆う上部シートとから構成されているとともに、
前記下部シートの上端縁部の外側に前記上部シートの下端縁部を重ねて固定されている、軒付き丸パイプハウス。
【発明の詳細な説明】
【技術分野】
【０００１】
本発明は、骨組み構造にビニールシートを被覆して構成される軒付き丸パイプハウスに関するものである。
【背景技術】
【０００２】
ビニールハウスは、複数本の丸形アーチパイプ等によって構成された骨組み構造に、ビニールシート等の合成樹脂からなるシート材を被覆してなる簡易建物であり、主に、農作物栽培に使用される。ビニールハウスは、風や雨、雪から農作物を守るとともに、保温効果により農作物の成長を促すことができる。
【０００３】
一方、このようなビニールハウスにおいて、室内が高温多湿になると、一般的に農作物の育成不良や病気の原因になる。そこで、日中の過度の昇温を抑制したり、土壌表面から蒸発した水蒸気により上昇した湿度を低下させるため、外気と内気を交換する換気が行われる。また換気により、室内への二酸化炭素の補給や栽培されている農作物群落内のガス交換を促進させることができる。
【０００４】
従来、ビニールハウスの換気は、ビニールハウスの側部を覆うビニールシートを巻き上げることで行われている。このような換気作業について実用新案登録第３０２７３９５号公報では、換気に伴うビニールシートの巻き上げ作業を減速機能を有するモータにより自動的に行うことができる温室・ビニールハウスの換気装置に関する発明が提案されている（特許文献１）。
【先行技術文献】
【特許文献】
【０００５】
【特許文献１】実用新案登録第３０２７３９５号公報
【発明の概要】
【発明が解決しようとする課題】
【０００６】
しかしながら、特許文献１に記載された発明では、外気温が零度以下になるような時期には、雨水や結露水等が氷結してビニールシートに張り付き、前記ビニールシートを自動的に巻き上げると、張り付いた氷を巻き込んでビニールシートが破損してしまうという問題がある。
【０００７】
また、換気時に降雨があると、降雨が室内へ進入し土壌を濡らすことがある。よって、自動的に巻き上げる際の開口幅は狭く設定せざるを得なく、十分な換気が行えないという問題もある。
【０００８】
ところで、降雪の多い地域では、ビニールハウスの裾部に屋根部から降下する雪が堆積してしまう。この堆積した雪を放置すると、その雪の重みでビニールシートの裾部が破損したり、骨組み構造が変形したりする。このため裾部に堆積した雪を除雪するために、従来、ロータリー式の除雪機が用いられている。しかし、除雪機のロータリーや除雪機を駆動させる無限軌道がビニールシートやこのビニールシートを押さえる紐、いわゆるハウスバンドを巻き込んでしまうという問題がある。
【０００９】
本発明は、以上のような問題点を解決するためになされたものであって、ビニールハウス側部の換気用開口部から室内への降雨の吹き込みを軽減したり、ビニールハウスの裾部における雪の堆積を軽減するとともに、側部に雨水や結露水等によって氷が形成されるのを抑制することができる、軒付き丸パイプハウスを提供することを目的としている。
【課題を解決するための手段】
【００１０】
本発明に係る軒付き丸パイプハウスは、ビニールハウス側部の換気用開口部から室内への降雨の吹き込みを軽減するとともに、屋根部から滑り落ちる雪や雨水、結露水を裾部から離れた位置に落下させるという課題を解決するために、複数本の丸形アーチパイプを平行に並べて配置し、これらを棟パイプおよび胴縁パイプにより連結して骨組み構造を形成し、ビニールシートを被覆して構成される丸パイプハウスであって、前記各々の丸形アーチパイプの肩部または前記肩部に設けられた前記胴縁パイプには、湾曲形成された膨出部を有する軒用アーチ材が、前記膨出部の最大膨出部分を前記丸形アーチパイプの裾部より外側に突出させて固定されているとともに、それら軒用アーチ材の前記膨出部が奥行き方向に長い軒用梁材によって連結され、前記ビニールシートが前記軒用アーチ材の外側を経て被覆されてなる。
【００１１】
また、本発明の一態様として、屋根部から流れ落ちる雨水や結露水を側部に伝わらないようにするという課題を解決するために、前記各軒用アーチ材の最大膨出部分より下方の位置には、奥行き方向に長尺状に形成された水切り部材が設けられており、この水切り部材が前記各軒用アーチ材と連結されているとともに、前記水切り部材の上面を水切り面として下方外側に向けて傾斜されていてもよい。
【００１２】
さらに、本発明の一態様として、屋根部のビニールシートの内側面に沿って流れ落ちる結露水をハウス外に排出するという課題を解決するために、前記ビニールシートは、少なくとも前記各丸形アーチパイプの前記裾部から前記軒用アーチ材の最大膨出部分の下部までを覆う左右一対の下部シートと、少なくとも前記軒用アーチ材の最大膨出部分の下部から前記各丸形アーチパイプの屋根部および棟部までを覆う上部シートとから構成されており、前記下部シートの上端縁部の外側に前記上部シートの下端縁部を重ねて固定されていてもよい。
【００１３】
また、本発明の一態様として、水切り部材とビニールシートの固定を容易にするという課題を解決するために、前記ビニールシートは、前記水切り部材によって固定されていてもよい。
【発明の効果】
【００１４】
本発明によれば、ビニールハウス側部の換気用開口部から室内への降雨の吹き込みを軽減したり、ビニールハウスの裾部における雪の堆積を軽減するとともに、側部に雨水や結露水等によって氷が形成されるのを抑制することができる。
【図面の簡単な説明】
【００１５】
【図１】本発明に係る軒付き丸パイプハウスの一実施形態を示す正面図である。
【図２】本実施形態における骨組み構造を示す斜視図である。
【図３】本実施形態における丸形アーチパイプの肩部に取り付けられた状態の軒用アーチ材を示す拡大正面図である。
【図４】本実施形態における丸形アーチパイプの裾部と、軒用アーチ材の最大膨出部分との位置関係を示す正面図である。
【図５】本発明に係る軒付き丸パイプハウスの他の実施形態であって丸形アーチパイプの肩部に設けられた胴縁パイプに軒用アーチ材を交差させて固定した状態を示す（ａ）正面図および（ｂ）側面図である。
【図６】本発明に係る軒付き丸パイプハウスの他の実施形態であって丸形アーチパイプの肩部に設けられた胴縁パイプに交差金具を用いて軒用アーチ材を固定した状態を示す（ａ）正面図および（ｂ）側面図である。
【図７】本実施形態におけるビニールシートの固定状態を示す模式図である。
【図８】本実施形態において上部シートの内側面を伝って流れ落ちる結露水が軒付き丸パイプハウス外に排出される状態を示す模式図である。
【図９】本発明に係る軒付き丸パイプハウスの他の実施形態であって、複数棟の丸パイプハウスを左右方向に連続的に並設させるとともに、左右端に位置する丸パイプハウスの肩部に軒用アーチ材を設置した状態を示す正面図である。
【発明を実施するための形態】
【００１６】
以下、本発明に係る軒付き丸パイプハウスの一実施形態について図面を用いて説明する。
【００１７】
本実施形態の軒付き丸パイプハウス１は、図１に示すように、骨組み構造２と、この骨組み構造２に被覆されるビニールシート３とを有する。本実施形態における軒付き丸パイプハウス１は、間口が５ｍ〜１１ｍ程度、肩高（「軒高」ともいう。）が１．５ｍ〜３．５ｍ程度であって、主に農作物栽培に用いられる簡易建物である。以下、各構成について説明する。
【００１８】
骨組み構造２は、軒付き丸パイプハウス１における骨組みとなるものであり、本実施形態では、図１および図２に示すように、複数本の丸形アーチパイプ２１と、これら丸形アーチパイプ２１を連結する棟パイプ２２、母屋パイプ２３および胴縁パイプ２４と、丸形アーチパイプ２１の肩部２１３に固定される軒用アーチ材２５と、を有する。
【００１９】
丸形アーチパイプ２１は、亜鉛メッキ鋼等の金属材料によって断面円形状に形成されたパイプをアーチ状に形成してなるものである。パイプの外径（パイプ径）は、特に限定されるものではないが、例えば直径１９ｍｍ〜５０ｍｍ程度のパイプが用いられ、軒付き丸パイプハウス１の間口の大きさや肩高の高さが大きくなるまたは高くなるに従い太いものが選択される。
【００２０】
本実施形態における丸形アーチパイプ２１は、下端において地面に埋設される裾部２１１と、この裾部２１１から肩高位置までの直管部２１２と、この直管部２１２から湾曲状に延出される肩部２１３と、この肩部２１３から上方に延出される屋根部２１４とからなるアーチ状のパイプを、左右一対に配置し連結部材２６により各上端部同士を連結することで、図１に示すように、略半円形状になるように構成されている。骨組み構造２では、図２に示すように、複数本の丸形アーチパイプ２１が奥行き方向に平行に並べて配置される。
【００２１】
棟パイプ２２は、平行に並べられた複数本の丸形アーチパイプ２１を連結するものであり、主に各丸形アーチパイプ２１の頂部である棟部２１５同士を連結するものである。本実施形態における棟パイプ２２は、奥行き方向に長尺状に形成された直管状のパイプからなり、屋根部２１４の端部同士を連結する連結部材２６の設置箇所に位置する棟部２１５に設置されている。棟パイプ２２と丸形アーチパイプ２１は、パイプ同士を連結する市販の交差金具３０等によって連結されている。
【００２２】
母屋パイプ２３は、平行に並べられた複数本の丸形アーチパイプ２１を連結するものであり、主に各丸形アーチパイプ２１の屋根部２１４同士を連結するものである。本実施形態における母屋パイプ２３は、奥行き方向に長尺状に形成された直管状のパイプからなり、前記屋根部２１４の左右対称となる位置に１本ずつ設置されている。母屋パイプ２３と丸形アーチパイプ２１は、棟パイプ２２と同様に市販の交差金具３０等によって連結されている。
【００２３】
胴縁パイプ２４は、棟パイプ２２や母屋パイプ２３と同様に平行に並べられた複数本の丸形アーチパイプ２１を連結するものであり、主に骨組み構造２における側部となる各丸形アーチパイプ２１の直管部２１２同士や湾曲状の肩部２１３同士を連結するものである。本実施形態では、図１に示すように、左右両方の直管部２１２に１本ずつ設置されている。また、胴縁パイプ２４と丸形アーチパイプ２１とは、棟パイプ２２や母屋パイプ２３と同様に、市販の交差金具３０等によって連結されている。
【００２４】
なお、棟パイプ２２、母屋パイプ２３および胴縁パイプ２４の設置本数や連結する部材は、特に限定されるものではなく、軒付き丸パイプハウス１の大きさ、各部材の重量および各部材の強度等を考慮して適宜選択されるものである。
【００２５】
軒用アーチ材２５は、丸形アーチパイプ２１の裾部２１１より外側に突出する、いわゆる軒を形成するためのものであり、図３に示すように、断面円形状のパイプを湾曲形成させてなる膨出部２５１を有している。軒用アーチ材２５の上端部および下端部には、断面円形状のパイプを平面状に潰した連結部２５２が形成されており、ボルト等の締結部材２５３を挿通させるボルト孔２５４が開口されている。この軒用アーチ材２５は、図４に示すように、屋根部２１４に沿って流れ落ちる雨や雪を裾部２１１から離れた位置に落下させるため、膨出部２５１の最大膨出部分２５１ａが前記裾部２１１より外側に突出するように丸形アーチパイプ２１の両肩部２１３に、市販の交差金具３０等を介して固定されている。裾部２１１と最大膨出部分２５１ａとの水平距離Ｌは、特に限定されるものではないが、５０ｍｍ〜５００ｍｍ程度になるように設置されることが好ましく、本実施形態では、１５０ｍｍ〜２００ｍｍ程度になるように設置している。
【００２６】
なお、軒用アーチ材２５は、本実施形態のように丸形アーチパイプ２１の肩部２１３に固定されるものに限定されるものではなく、図５および図６に示すように、交差金具３０等によって前記肩部２１３に設けられた胴縁パイプ２４に固定されていてもよい。
【００２７】
また、軒用アーチ材２５の膨出部２５１同士は、奥行き方向（丸形アーチパイプ２１を並べて配置する方向）に長い軒用梁材２７によって連結されている。本実施形態における軒用梁材２７は、軒パイプ２２や胴縁パイプ２４、母屋パイプ２３と同様に断面円形状に形成されたパイプにより形成されており、軒用アーチ材２５の最大膨出部分２５１ａより上方の位置同士を連結するように、市販の交差金具３０等によって連結されている。
【００２８】
また、各軒用アーチ材２５の最大膨出部分２５１ａより下方の位置には、奥行き方向に長尺状に形成された水切り部材２８が設けられている。水切り部材２８の上面は、水切り面２８１として下方外側に向けて傾斜されており、軒用アーチ材２５に被覆したビニールシート３に沿って流れる雨水等を水切り面２８１に沿って流し、その下端縁部２８２から落水するように構成されている。
【００２９】
なお、軒用アーチ材２５の固定位置は、左右の両肩部２１３または左右の両胴縁パイプ２４に限定されるものではなく、左右いずれか一方の肩部２１３または胴縁パイプ２４であってもよい。
【００３０】
本実施形態における水切り部材２８は、薄板状の長尺材料を断面形状が略Ｔ字状になるように屈曲させて形成されている。一方、前記各軒用アーチ材２５の最大膨出部分２５１ａより下方の位置には、開口側の幅に対して底部の幅が広く形成された凹状溝２９１を有する凹状固定部材２９が設けられている。そして、前記水切り部材２８の屈曲部分と、図７における奥行き方向に対して長尺状でかつ波形状に形成された固定用波形スプリング材２９２とを前記凹状固定部材２９の凹状溝２９１に嵌め入れることで、前記固定用波形スプリング材２９２が発揮する弾性力により軒用アーチ材２５に固定されるようになっている。
【００３１】
また、本実施形態における水切り部材２８は、図７に示して後述するように、ビニールシート３を固定する役割も果たしている。
【００３２】
ビニールシート３は、塩化ビニールフィルムやＰＯ(ポリオレフィン)フィルム等の合成樹脂からなるシート材により形成されており、軒用アーチ材２５の外側を経て被覆されるものである。本実施形態におけるビニールシート３は、少なくとも各丸形アーチパイプ２１の裾部２１１から軒用アーチ材２５の最大膨出部分２５１ａの下部までを覆う左右一対の下部シート３１と、少なくとも軒用アーチ材２５の最大膨出部分２５１ａの下部から各丸形アーチパイプ２１の屋根部２１４および棟部２１５までを覆う上部シート３２とを有する。
【００３３】
また、図７に示すように、上部シート３２の下端縁部３２１は、下部シート３１の上端縁部３１１の外側に重ねて固定されている。これにより、図８に示すように、上部シート３２の内側面を伝って流れ落ちる軒付き丸パイプハウス１内で発生した結露水が下部シート３１との間に流れ込む。よって、結露水は、下部シート３１の外側面に沿って流れ落ちて軒付き丸パイプハウス１の外に排出することができる。
【００３４】
以上のような本実施形態の軒付き丸パイプハウス１によれば、以下に記載の作用および効果を奏することができる。
１．軒付き丸パイプハウス１から滑り落ちる雪や雨水、結露水を丸形アーチパイプ２１の裾部２１１から離れた位置に落下させることができる。
２．降雨の吹き込みを低減させることができるため、側部の換気用開口部を大きく開口することができ、室内の温度および湿度を調整するための十分な換気を行うことができる。
３．裾部２１１に雪が堆積するのを軽減するため、除雪作業幅を確保することが可能となり、ビニールシート３やハウスバンドの巻き込み事故を防止することができる。
４．屋根部２１４から流れ落ちる雨水や結露水が軒用アーチ材２５に被覆されたビニールシート３を伝って、軒付き丸パイプハウス１の側部に流れ落ちないようにすることができる。
５．屋根部２１４を被覆する上部シート３２の内側面に沿って流れ落ちる結露水をハウス外に排出することができる。
６．ビニールシート３を水切り部材２８によって固定することで、下部シート３１および上部シート３２を容易に固定できるとともに、部材を減らすこともできる。
【００３５】
なお、本発明に係る軒付き丸パイプハウスは、前述した実施形態に限定されるものではなく、適宜変更することができる。例えば、換気等において下部シート３１を自動的に巻き上げるシート巻き上げ装置を備えていてもよい。また、図９に示すように丸パイプハウスが左右方向に連続するように設置される場合、軒用アーチ材２５は、左右端に位置する丸パイプハウスの肩部２１３に設置してもよい。
【符号の説明】
【００３６】
１  軒付き丸パイプハウス
２  骨組み構造
３  ビニールシート
２１  丸形アーチパイプ
２２  棟パイプ
２３  母屋パイプ
２４  胴縁パイプ
２５  軒用アーチ材
２６  連結部材
２７  軒用梁材
２８  水切り部材
２９  凹状固定部材
３０  交差金具
３１  下部シート
３２  上部シート
２１１  裾部
２１２  直管部
２１３  肩部
２１４  屋根部
２１５  棟部
２５１  膨出部
２５１ａ  最大膨出部分
２５２  連結部
２５３  締結部材
２５４  ボルト孔
２８１  水切り面
２８２  下端縁部
２９１  凹状溝
２９２  固定用波形スプリング材
３１１  上端縁部
３２１  下端縁部
Ｌ  水平距離
【要約】
【課題】ビニールハウス側部の換気用開口部から室内への降雨の吹き込みを軽減したり、ビニールハウスの裾部における雪の堆積を軽減するとともに、側部に雨水や結露水等によって氷が形成されるのを抑制することができる、軒付き丸パイプハウスを提供する。
【解決手段】複数本の丸形アーチパイプ２１を平行に並べて配置し、これらを棟パイプ２２および胴縁パイプ２３により連結して骨組み構造２を形成し、ビニールシート３を被覆して構成される丸パイプハウスであって、各々の丸形アーチパイプ２１の肩部２１３または胴縁パイプ２３には、膨出部２４１を有する軒用アーチ材２５が、膨出部２５１の最大膨出部分２５１ａを丸形アーチパイプ２１の裾部２１１より外側に突出させて固定されているとともに、それら軒用アーチ材２５の膨出部２５１が奥行き方向に長い軒用梁材２７によって連結され、ビニールシート３が軒用アーチ材２５の外側を経て被覆されてなる。
【選択図】  図１【図１】
0006692555.tif 000002
【図２】
0006692555.tif 000003
【図３】
0006692555.tif 000004
【図４】
0006692555.tif 000005
【図５】
0006692555.tif 000006
【図６】
0006692555.tif 000007
【図７】
0006692555.tif 000008
【図８】
0006692555.tif 000009
【図９】
0006692555.tif 000010